(57)【要約】【課題】  ローダ部を筐体の前方に移動させたとき、ローダ部が左右方向にガタが生じてしまうことを低コストで防止することができる光ディスク再生装置を提供する。【解決手段】  筐体と、開口部と、光ディスクを載置するローダ部と、前面に前方に突出するピンを備える再生部と、再生部を軸支する軸受けと、ピンを挿入しピンが上下方向に移動可能な長孔部を備える保持部と、左右方向に対して上下に傾斜する傾斜溝を備えピンが挿入され左右方向にスライド可能スライド部と、スライド部から上方に突出する第１のボス及び第２のボスと、ローダ部を前後方向に移動させスライド部を左右方向にスライドさせる駆動手段とを備え、ローダ部は、筐体の内部に移動したとき第１のボスが挿入される第１の溝部を備えると共に筐体の前方に移動したとき第２のボスが挿入される第２の溝部とを備える。【選択図】      図１
2008293627.tif 000002
【特許請求の範囲】
【請求項１】
筐体と、
前記筐体の前面に開口する開口部と、
光ディスクを載置するディスク載置部を備え前記開口部を介して前記筐体の前方から前記筐体の内部に自在に移動可能なローダ部と、
前面に前方に突出するピンを備え前記ローダ部によって前記筐体の内部に移動された光ディスクに記録されたデータを再生する再生部と、
前記再生部の後方部分の左右側面からそれぞれ水平方向に突出する第１の軸及び第２の軸と、
凹部を備え前記第１の軸及び前記第２の軸をそれぞれ軸支する第１の軸受け及び第２の軸受けと、
前記ピンを挿入し前記ピンが上下方向に移動可能な長孔部を備える保持部と、
左右方向に対して上下に傾斜する傾斜溝を備えると共に当該傾斜溝の左右の一端にそれぞれ連通し水平方向に長孔を有する水平溝を備え前記ピンが当該傾斜溝または当該水平溝に挿入され左右方向にスライド可能なスライド部と、
前記スライド部の上面から上方に突出する第１のボス及び第２のボスと、
前記ローダ部を前後方向に移動させると共に前記スライド部を左右方向にスライドさせる駆動手段とを備え、
前記ローダ部は、前記筐体の内部に移動したとき前記第１のボスが挿入される第１の溝部を備えると共に前記筐体の前方に移動したとき前記第２のボスが挿入される第２の溝部とを備えることを特徴とする光ディスク再生装置。
【発明の詳細な説明】
【技術分野】
【０００１】
本発明は、光ディスクに記録されているデータを再生する光ディスク再生装置に関する。
【背景技術】
【０００２】
従来の光ディスク再生装置として、光ディスクを載置したローダ部を筐体の内部に移動させ、筐体内部に備えるターンテーブルにより当該光ディスクを回転させることによって、光ディスクに記録されたデータを再生するディスクローディング機構を有する光ディスク再生装置が知られている（例えば、特許文献１参照。）。
【０００３】
特許文献１に開示された光ディスク再生装置は、光ディスク載置するローダ部（特許文献１ではローディングトレイ１２）を備える。このローダ部は、図示されていないが、通常、ローダ部の左右両側を保持しローダ部の左右方向及び上下方向の移動を抑制するガイドを備え、このガイドによってローダ部が前後方向にのみ移動可能と成される。そして、光ディスクを載置したローダ部に備えたラックギア（特許文献１では直線状ラック部１２ａ）と噛合ったピニオン（特許文献１ではプラネットギア１６）を回転させることにより、ローダ部を前後方向に移動させることによって、光ディスクを筐体の前方から筐体内部に搬送し、また、筐体内部に搬送した光ディスクを筐体の前方に排出する。
【０００４】
特許文献１に開示された光ディスク再生装置は、ローダ部を前後にスムーズに移動させるために、ローダ部と当該ローダ部を保持するガイドとの間に隙間を設けておく必要がある。このため、ローダ部を筐体の前方に移動させた状態で、使用者がローダ部に光ディスクを載置したり、また、ローダ部に載置した光ディスクを取り出そうとするとき、ローダ部と当該ローダ部を保持するガイドとの間に設けた隙間によって、ローダ部が左右方向にガタが生じてしまうことがあり、装置の品位が損なわれるという問題があった。
【０００５】
このような、ローダ部を筐体の前方に移動させたときローダ部が左右方向にガタが生じてしまうことを防止するために、ローダ部の両側にラックギア（特許文献２ではラック１ｆ及び１ｈ）を備えると共に、この両側のラックギアにそれぞれ噛合ったシンクロギア（特許文献２ではシンクロギア１１及び１２）を連結したシャフトを備え、ローダ部を前方に移動させた場合でも、シャフトに連結されたシンクロギアをローダ部の両側のラックギアに噛合わせておくことで、ローダ部が左右方向にガタが生じてしまうことを防止するディスクローディング装置が知られている（例えば、特許文献２参照。）。
【０００６】
【特許文献１】特開平６−２５１４８１号公報
【特許文献２】特開平１０−８３６０５号公報
【発明の開示】
【発明が解決しようとする課題】
【０００７】
しかしながら、特許文献２に開示されたディスクローディング装置は、ローダ部が左右方向にガタが生じてしまうことを防止するためにローダ部の両側にラックギアを備え、更に、このローダ部の両側のラックギアにそれぞれ噛合ったシンクロギアを連結したシャフトを備える必要があり、装置の製造コストが高くなってしまうという問題がある。また、特許文献２に開示されたディスクローディング装置においては、ローダ部の両側に備えるラックギアにシンクロギアを噛合わせる場合、ラックギアの移動に伴ってシンクロギアのギア駆動をスムーズにするために、ラックギアの歯面とシンクロギアの歯面との間に予め所定の隙間を設けておく必要があるため、このラックギアの歯面とシンクロギアの歯面との間に設けた隙間によってローダ部が左右方向にガタついてしまうという問題がある。
【０００８】
本発明は、光ディスクを載置するローダ部を筐体の前方から筐体の内部に移動させ、光ディスクに記録されたデータを再生する光ディスク再生装置において、ローダ部を筐体の前方に移動させたとき、ローダ部が左右方向にガタが生じてしまうことを低コストで防止することができる光ディスク再生装置を提供することを目的とする。
【課題を解決するための手段】
【０００９】
本願の第一の態様における発明は、筐体と、前記筐体の前面に開口する開口部と、光ディスクを載置するディスク載置部を備え前記開口部を介して前記筐体の前方から前記筐体の内部に自在に移動可能なローダ部と、前面に前方に突出するピンを備え前記ローダ部によって前記筐体の内部に移動された光ディスクに記録されたデータを再生する再生部と、前記再生部の後方部分の左右側面からそれぞれ水平方向に突出する第１の軸及び第２の軸と、凹部を備え前記第１の軸及び前記第２の軸をそれぞれ軸支する第１の軸受け及び第２の軸受けと、前記ピンを挿入し前記ピンが上下方向に移動可能な長孔部を備える保持部と、左右方向に対して上下に傾斜する傾斜溝を備えると共に当該傾斜溝の左右の一端にそれぞれ連通し水平方向に長孔を有する水平溝を備え前記ピンが当該傾斜溝または当該水平溝に挿入され左右方向にスライド可能なスライド部と、前記スライド部の上面から上方に突出する第１のボス及び第２のボスと、前記ローダ部を前後方向に移動させると共に前記スライド部を左右方向にスライドさせる駆動手段とを備え、前記ローダ部は、前記筐体の内部に移動したとき前記第１のボスが挿入される第１の溝部を備えると共に前記筐体の前方に移動したとき前記第２のボスが挿入される第２の溝部とを備えることを特徴とする。
【発明の効果】
【００１０】
本発明によれば、光ディスクを載置するローダ部を筐体の前方から筐体の内部に移動させ、光ディスクに記録されたデータを再生する光ディスク再生装置において、ローダ部を筐体の前方に移動させたとき、ローダ部が左右方向にガタが生じてしまうことを低コストで防止することができる光ディスク再生装置を提供することができる。
【発明を実施するための最良の形態】
【００１１】
本発明の実施の形態を図面を参照して説明する。
【００１２】
図１は、本発明の第１実施例の光ディスク再生装置を示す上面図である。
光ディスク再生装置１は、筐体２、ローダ部３、駆動用モータ５、再生部６、第１の軸受け７、第２の軸受け８、保持部１１、スライド部１２、スライド案内部１３、スライドシャフト１７、ローダ載置部１８、後述するクランパ及び図示しない制御部を備える。
図１においては、下方を光ディスク再生装置１の前方とする。
【００１３】
筐体２は、箱型を形成し、前面に開口部２０１を備える。スライドシャフト１７は、軸が前後方向となるように配設された状態で筐体２の左側部分に固定される。ローダ部３は、平板であって、中央部分にディスク載置部３０１を備える。ディスク載置部３０１は、上面に図示しない光ディスクを載置可能な凹部３０２を備え、凹部３０２の中央部分に孔３０３を備える。ローダ部３は、左側部分の下面に前後方向に直線状を成すラックギア３０５を備える。
【００１４】
ローダ部３は、下面の前方に第１の溝部３１を備え、下面の後方に第２の溝部３２を備える。第１の溝部３１は、左右方向に凹状を成した横溝３１１と、この横溝３１１の右端部分から連通し右斜め後方に凹状を成した傾斜溝３１２と、この傾斜溝３１２の後端部分から連通し後方に凹状を成した縦溝３１３を備える。縦溝３１３は、後方に開口している。
【００１５】
第２の溝部３２は、左右方向に凹状を成した横溝３２１と、この横溝３２１の左端部分から連通し左斜め前方に凹状を成した傾斜溝３２２と、この傾斜溝３２２の前端部分から連通し前方に凹状を成した縦溝３２３を備える。縦溝３２３は、前方に開口している。
【００１６】
ローダ部３は、左側部分に前後方向に貫通する孔３０６を備える。ローダ載置部１８は、上面がローダ部３の右側部分の下面に当接するよう筐体２の内部に固定されている。ローダ部３は、左側部分に備える孔３０６がスライドシャフト１７に挿入されると共に右側部分がローダ載置部１８に載置されることにより、筐体２に対して前後方向にのみ移動可能となる。
【００１７】
駆動用モータ５は、回転軸にピニオン５０１を備える。駆動用モータ５は、制御部の制御によりピニオン５０１を時計回り方向又は反時計回り方向に回転させる。ローダ部３は、ラックギア３０５がピニオン５０１に噛合った状態のとき、駆動用モータ５のピニオン５０１が時計回り方向又は反時計回り方向に回転することによって、ピニオン５０１に噛合ったラックギア３０５が前後方向に移動し、開口部２０１を介して筐体２の前方と筐体２内部との間を自在にスライドする。ラックギア３０５とピニオン５０１の動作については後述する。
【００１８】
再生部６は、筐体２の内部に配設され、後方部分の左側面及び右側面にそれぞれ水平方向に突出した第１の軸６０６及び第２の軸６０７を備える。再生部６は、前面に前方に突出した２つのピン６０５を備える。再生部６は、上面にターンテーブル６０１、スピンドルモータ６０２、光ピックアップ６０３及びピックアップ駆動部６０４を備える。
【００１９】
ターンテーブル６０１は、ローダ部３によって筐体２の内部に搬送された光ディスクを後述するクランパとにより保持する。スピンドルモータ６０２は、制御部の制御によりターンテーブル６０１を回転させる。ピックアップ駆動部６０４は、制御部の制御により、スピンドルモータ６０２の軸方向に光ピックアップ６０３をスライド駆動させる。光ピックアップ６０３は、光ディスクに記録されたデータを読み取る。
【００２０】
第１の軸受け７及び第２の軸受け８は、それぞれ下面が筐体２に固定され、それぞれ再生部６の後方部分の左右の位置に配設される。第１の軸受け７及び第２の軸受け８は、それぞれ内側に凹状を成す凹部７０１及び凹部８０１を備える。再生部６は、第１の軸６０６が第１の軸受け７の凹部７０１に挿入され、第２の軸６０７が第２の軸受け８の凹部８０１に挿入されることにより、第１の軸受け７及び第２の軸受け８に軸支された状態となる。
【００２１】
保持部１１は、下面が筐体２に固定され、再生部６の前方となる位置に配設される。スライド部１２は、保持部１１の前方となる位置に配設される。
【００２２】
図２は、本発明の第１実施例の光ディスク再生装置１のスライド部１２を示す図で、図２（ａ）は上面図、図２（ｂ）は正面図である。
図２（ａ）においては、下方をスライド部１２の前方とする。
【００２３】
スライド部１２は、薄い板状を成し、上面に上方に突出する第１のボス１２８及び第２のボス１２９を備える。スライド部１２は、上方部分の前面に前方突出した後に前方から見て左方向に突出するＬ字形の腕部１２５を備える。腕部１２５は、後面の内側部分に第１の歯部１２６を備え、後面の右端部分に第２の歯部１２７を備える。第１の歯部１２６と第２の歯部１２７は、予め定めた一定の距離だけ離間した状態で配設される。
【００２４】
スライド部１２は、前後方向に貫通し前方から見て右側方向に亘って上方に傾斜した２つの傾斜溝１２２を備え、この傾斜溝１２２の両端部分にはそれぞれ当該傾斜溝１２２に連通し水平方向に長孔を有する水平溝１２３及び水平溝１２４を備える。
【００２５】
図３は、本発明の第１実施例の光ディスク再生装置１の保持部１１及びスライド部１２の構成を示す図で、図３（ａ）は保持部１１を示す正面図、図３（ｂ）は保持部１１とスライド部１２を示す正面図である。
図３（ｂ）においては、保持部１１とスライド部１２の動作の説明の便宜上、スライド部１２において腕部１２５、第１のボス１２８及び第２のボス１２９を図示しない。
【００２６】
図１及び図３（ａ）に示すように、保持部１１は、薄い板状を成し、前後に貫通し長手方向が上下方向である２つの長孔部１１１を備える。２つの長孔部１１１は、再生部６の前面に備える２つのピン６０５がそれぞれ貫通した状態となる。２つの長孔部１１１は、上端部分にそれぞれ内壁が三角形を形成する傾斜部１１２を備える。
【００２７】
図１及び図３（ｂ）に示すように、スライド案内部１３は、スライド部１２の前方となる位置に配設された状態で筐体２に固定される。スライド部１２は、前方に配設されたスライド案内部１３と後方に配設された保持部１１によって前後方向への移動が抑止され、左右方向に自在にスライド可能となる。
【００２８】
次に、図４及び図５においてローダ部３によって筐体２の内部に搬送された光ディスクを再生部６が再生する動作について説明する。
図４及び図５においては、動作の説明の便宜上、スライド部１２において腕部１２５、第１のボス１２８及び第２のボス１２９を図示しない。
【００２９】
図４は、本発明の第１実施例の光ディスク再生装置１における再生部６とスライド部１２の動作の過程を説明する図で、図４（ａ）はローダ部３（図示しない）が筐体２の前方に位置しているときの状態を示す正面図、図４（ｂ）は図４（ａ）の側面図、図４（ｃ）は図４（ａ）及び図４（ｂ）の状態からローダ部３によって光ディスクを筐体２の内部にローディングした後、スライド部１２を前方から見て左方向にスライドした状態を示す正面図、図４（ｄ）は図４（ｃ）の側面図である。
【００３０】
図５は、本発明の第１実施例の光ディスク再生装置１における再生部６とスライド部１２の動作の過程を説明する図で、図５（ａ）は図４（ｃ）及び図４（ｄ）の状態からスライド部１２を前方から見て更に左方向にスライドした状態を示す正面図、図５（ｂ）は図５（ａ）の側面図である。
【００３１】
図１に示すように、ローダ部３が筐体２の前方に位置している状態のとき、図４（ａ）及び図４（ｂ）に示すように、再生部６のピン６０５は、水平溝１２４に挿入された状態となる。
図示しない指示釦によって制御部にローディング指示信号が入力されると、制御部は、図１に示すローダ部３を筐体２の前方から筐体２の内部に後方にスライドするよう駆動用モータ５を制御する。この駆動用モータ５がローダ部３をスライドさせる構成については後述する。
【００３２】
図４（ａ）及び図４（ｂ）の状態から図示しない指示釦によって制御部に再生指示信号が入力されると、制御部は、図１に示す駆動用モータ５を回転させ、スライド部１２を前方から見て左方向にスライドするよう制御する。この駆動用モータ５がスライド部１２をスライドさせる構成については後述する。
【００３３】
駆動用モータ５によってスライド部１２が左方向にスライドすると、図４（ｃ）及び図４（ｄ）に示すように、保持部１１の長孔部１１１に挿入され左右方向への移動を抑止されたピン６０５は、スライド部１２の傾斜溝１２２の内壁を右方向に移動しながら保持部１１の長孔部１１１の内壁を上方に移動する。再生部６は、後方部分の第１の軸６０６及び第２の軸６０７がそれぞれ第１の軸受け７及び第２の軸受け８に軸支されていることから、ピン６０５が上方に移動することによって、第１の軸６０６及び第２の軸６０７を軸として上昇する。
【００３４】
そして、更にスライド部１２が左方向にスライドすると、図５（ａ）及び図５（ｂ）に示すように再生部６が第１の軸６０６及び第２の軸６０７を軸として更に上昇し、ターンテーブル６０１が、ローダ部３によって筐体２の内部に搬送された光ディスク２０の孔２１に挿入される。制御部は、ターンテーブル６０１が光ディスク２０の孔２１に挿入された後、クランパ１６を降下させるよう制御を行う。光ディスク２０は、クランパ１６が降下することによって、ターンテーブル６０１とクランパ１６によって孔２１が狭持される。
【００３５】
ターンテーブル６０１は、制御部の制御により光ディスク２０を回転させる。光ピックアップ６０３は、図１に示すピックアップ駆動部６０４により光ディスク２０の径方向にスライドし、光ディスク２０に記録されているデータを読み取る。光ピックアップ６０３により読み取られたデータは、図示しないデータ再生回路によって再生される。
【００３６】
このように、光ディスク再生装置１は、図４（ａ）及び図４（ｂ）に示す状態から駆動用モータ５によってスライド部１２を左方向にスライドさせることによって、図５（ａ）及び図５（ｂ）に示すように、再生部６が第１の軸６０６及び第２の軸６０７を軸として上昇し、光ディスク２０に記録されているデータを再生する。また、図示しないが、図５（ａ）及び図５（ｂ）に示すように、再生部６が上昇している状態から駆動用モータ５によってスライド部１２を右方向にスライドさせると、図４（ａ）及び図４（ｂ）に示すように再生部６が第１の軸６０６及び第２の軸６０７を軸として下降する。
【００３７】
次に、制御部の制御によって駆動用モータ５がピニオン５０１を回転させたときのローダ部３とスライド部１２の動作について説明する。
【００３８】
図６は、本発明の第１実施例の光ディスク再生装置１において、ローダ部３が筐体２の内部に位置している状態を示す上面図である。
図６においては、下方を光ディスク再生装置１の前方とする。
【００３９】
図６に示すように、ローダ部３が筐体２の内部に位置した状態のとき、ピニオン５０１は、スライド部１２の第１の歯部１２６の右端部分と噛合った位置に配設される。また、ローダ部３が筐体２の内部にスライドした状態のとき、スライド部１２の第１のボス１２８は、ローダ部３に備える第１の溝部３１の横溝３１１の左端部分に挿入された位置に配設される。また、ローダ部３が筐体２の内部にスライドした状態のとき、駆動用モータ５のピニオン５０１は、ラックギア３０５の前端部分よりも更に前方に位置し、ラックギア３０５と噛合わない位置に配設される。
【００４０】
図６に示すように、ローダ部３が筐体２の内部にスライドした状態のとき、図５（ａ）及び図５（ｂ）に示すように、再生部６が上昇した状態となることで、ターンテーブル６０１が光ディスク２０を回転させ、光ピックアップ６０３が光ディスク２０に記録されているデータを読み取り再生を行う。
【００４１】
図７は、本発明の第１実施例の光ディスク再生装置１において、図６に示す状態からローダ部３を前方にスライドさせる過程を示す図で、図７（ａ）は図６の状態から駆動用モータ５のピニオン５０１が反時計回りに回転した状態を示す上面図、図７（ｂ）は図７（ａ）の状態から更に駆動用モータ５のピニオン５０１が反時計回りに回転した状態を示す上面図、図７（ｃ）は図７（ｂ）の状態から更に駆動用モータ５のピニオン５０１が反時計回りに回転した状態を示す上面図である。
図７（ａ）〜図７（ｃ）においては、下方を光ディスク再生装置１の前方とする。
【００４２】
図６に示すように、ローダ部３が筐体２の内部にスライドした状態のとき、図示しない指示釦によって制御部にローダ部３を前方にスライドさせる指示信号が入力されると、制御部は、ピニオン５０１を反時計回り方向に回転させるよう駆動用モータ５を制御する。駆動用モータ５は、制御部の制御により、ピニオン５０１を反時計回り方向に回転させる。ピニオン５０１が反時計回り方向に回転すると、図７（ａ）に示すように、ピニオン５０１と噛合った状態の第１の歯部１２６が右方向に移動し、スライド部１２は、右方向にスライドする。スライド部１２が右方向にスライドすることにより、第１の溝部３１の横溝３１１の左端部分に挿入された第１のボス１２８も第１の溝部３１の内壁を左端部分から右方向に移動する。
【００４３】
図７（ａ）に示す状態から更に駆動用モータ５のピニオン５０１が反時計回りに回転すると、ピニオン５０１と噛合った状態の第１の歯部１２６が更に右方向に移動し、第１のボス１２８も横溝３１１の内壁の右端部分から傾斜溝３１２の左端部分の内壁に移動し、更に傾斜溝３１２の内壁を更に右方向に移動する。このとき、図７（ｂ）に示すように、第１のボス１２８が右斜め後方に凹状を成した傾斜溝３１２の内壁を右方向に移動する反力により、ローダ部３が前方にスライドする。
【００４４】
図７（ｂ）に示す状態から更に駆動用モータ５のピニオン５０１が反時計回りに回転すると、ピニオン５０１と噛合った状態の第１の歯部１２６が更に右方向に移動することによって、第１のボス１２８も傾斜溝３１２の内壁を更に右方向に移動し、傾斜溝３１２の内壁を第１のボス１２８が右方向に移動する反力により、ローダ部３が更に前方にスライドする。そして、図７（ｃ）に示すように、ローダ部３が更に前方にスライドすることにより、ラックギア３０５も前方に移動し、ラックギア３０５の前端部分がピニオン５０１と噛合った状態となる。このとき、スライド部１２が右方向にスライドすることによって、第１の歯部１２６の左端部分からピニオン５０１が外れ、ピニオン５０１と第１の歯部１２６が噛合わない状態となる。
【００４５】
図８は、本発明の第１実施例の光ディスク再生装置１において、図７（ｃ）に示す状態からら更に駆動用モータ５のピニオン５０１が反時計回りに回転している状態を示す上面図である。
図８においては、下方を光ディスク再生装置１の前方とする。
【００４６】
図７（ｃ）に示す状態から更に駆動用モータ５のピニオン５０１が反時計回りに回転すると、図８に示すように、ピニオン５０１と噛合ったラックギア３０５が前方に移動することによってローダ部３が前方にスライドする。このとき、スライド部１２は、ピニオン５０１が第１の歯部１２６と噛合わず、第１の歯部１２６と第２の歯部１２７との間の離間した部分に位置していることから、右方向へのスライドが停止した状態となる。
【００４７】
図９は、本発明の第１実施例の光ディスク再生装置１において、図８に示す状態から更にピニオン５０１が反時計回りに回転した状態を示す図で、図９（ａ）は図８に示す状態から更に駆動用モータ５のピニオン５０１が反時計回りに回転した状態を示す上面図、図９（ｂ）は図９（ａ）の状態から更に駆動用モータ５のピニオン５０１が反時計回りに回転した状態を示す上面図、図９（ｃ）は図９（ｂ）の状態から更に駆動用モータ５のピニオン５０１が反時計回りに回転した状態を示す上面図である。
図９（ａ）〜図９（ｃ）においては、下方を光ディスク再生装置１の前方とする。
【００４８】
ローダ部３に備える第２の溝部３２の縦溝３２３は、図８に示すようにピニオン５０１が第１の歯部１２６と第２の歯部１２７との間の離間した部分に位置した状態のとき、第２のボス１２９の後方となる位置に配設されているものとする。また、第２の溝部３２の横溝３２１の幅の長さは、第２のボス１２９の外径の長さより僅かに大きいものとする。また、ローダ部３が完全に筐体２の前方にスライドした状態のとき、ラックギア３０５の後端部分の位置は、ピニオン５０１よりも前方の位置となるものとする。
【００４９】
図８に示すように、ピニオン５０１が反時計回りに回転することによりピニオン５０１と噛合った状態のラックギア３０５が前方に移動し、ローダ部３が更に前方にスライドすると、図９（ａ）に示すように、第２の溝部３２の縦溝３１３の前端部分にスライド部１２の第２のボス１２９が位置した状態となる。
【００５０】
図９（ａ）に示す状態から更に駆動用モータ５のピニオン５０１が反時計回りに回転すると、ピニオン５０１と噛合った状態のラックギア３０５が前方に移動し、ローダ部３が更に前方にスライドすることから、第２のボス１２９が第２の溝部３２の縦溝３２３の前端部分から縦溝３２３に挿入し、更に縦溝３２３の内壁を後方に移動した後、第２のボス１２９が傾斜溝３２２の前端部分に挿入した状態となり、更に第２のボス１２９が傾斜溝３２２の内壁を右方向に移動しようとする。このとき、図９（ｂ）に示すように、第２のボス１２９が傾斜溝３２２の内壁を右方向に移動しようとする応力により、スライド部１２が右方向にスライドする。スライド部１２が右方向にスライドすることにより、ピニオン５０１が腕部１２５に備える第２の歯部１２７の右端部分に噛合った状態となる。
【００５１】
図９（ｂ）に示す状態から更に駆動用モータ５のピニオン５０１が反時計回りに回転すると、図９（ｃ）に示すように、ラックギア３０５の後端部分からピニオン５０１が外れる。このとき、ピニオン５０１と噛合った状態の第２の歯部１２７が右方向に移動することによって、スライド部１２が更に右方向に移動し、第２のボス１２９が第２の溝部３２の横溝３２１に挿入された状態となる。
【００５２】
図１０は、本発明の第１実施例の光ディスク再生装置１において、図９（ｃ）に示すように、第２のボス１２９が第２の溝部３２の横溝３２１に挿入された状態での光ディスク再生装置１の全体の上面図である。
図１０においては、下方を光ディスク再生装置１の前方とする
【００５３】
図１０に示すように、ローダ部３が完全に筐体２の前方にスライドし、第２のボス１２９が第２の溝部３２の横溝３２１に挿入された位置となると、制御部は、図示しない位置センサーによってローダ部３が完全に筐体２の前方にスライドし、第２のボス１２９が第２の溝部３２の横溝３２１に挿入された位置となったことを検知し、ピニオン５０１が反時計回り方向への回転を停止するよう駆動用モータ５を制御する。
【００５４】
以上の構成により、本発明の第１実施例の光ディスク再生装置１は、制御部の制御によってピニオン５０１が反時計回り方向に回転し、ローダ部３が筐体２の前方にスライドする。
なお、図６〜図１０において説明したローダ部３が前方にスライドする過程おいては、スライド部１２が右方向にスライドすることにより、図４〜図５において説明したように、再生部６も図５（ａ）及び図５（ｂ）に示すように上昇している状態から、図４（ａ）及び図４（ｂ）に示すように再生部６が第１の軸６０６及び第２の軸６０７を軸として下降した状態となる。
【００５５】
また、図示しないが、図１０に示すように、ローダ部３が筐体２の前方にスライドした状態のとき、図示しない指示釦によって制御部にローダ部３を筐体２の内部にスライドさせる指示信号が入力されると、制御部は、ピニオン５０１を時計回り方向に回転させるよう駆動用モータ５を制御する。ピニオン５０１が時計回り方向に回転することにより、スライド部１２及びローダ部３は、図６から図１０に亘って説明した動作と逆の動作を行い、図６に示すように、ローダ部３が筐体２の内部にスライドし、ローダ部３が筐体２の内部に移動した状態となる。
【００５６】
図１０に示すように、ローダ部３が完全に筐体２の前方にスライドした状態のとき、ローダ部３の左側部分の孔３０６がスライドシャフト１７に挿入された状態となると共に、スライド部１２の第２のボス１２９が第２の溝部３２の横溝３２１の内壁に挿入した状態となる。第２のボス１２９が第２の溝部３２の横溝３２１に挿入されていることによって、ローダ部３の右側部分は、前後方向に移動することを抑止された状態となる。
【００５７】
このことにより、図１０に示すように、ローダ部３が完全に筐体２の前方にスライドした状態のとき、例えば、スライドシャフト１７の外周部分と孔３０６の内周部分との間に僅かな隙間があっても、第２のボス１２９が横溝３２１に挿入された状態となることで、孔３０６の中央部分を中心としてローダ部３が水平方向に回転しようとすることを抑止した状態となることから、ローダ部３の前方部分に左右方向への応力が加わった場合でもローダ部３が左右方向にガタが生じてしまうことがない。
【００５８】
以上の構成により、本発明の第１実施例の光ディスク再生装置１は、ローダ部３を筐体２の前方にスライドさせた状態で、使用者が光ディスク２０をローダ部３のディスク載置部３０１に載置したり、また、光ディスク２０をディスク載置部３０１から取り出そうとする場合、ローダ部３が左右方向にガタが生じてしまうことを防止することができる。本発明の第１実施例の光ディスク再生装置１は、従来の光ディスク再生装置に用いているローダ部の下面に溝部を備え、また、従来の光ディスク再生装置に用いているスライド部に駆動用モータのピニオンと噛合う歯部及びボスを備える構成のみで、簡単にローダ部３が左右方向にガタついてしまうことを防止することができるので、特許文献２に開示されたディスクローディング装置のように、シンクロギアを連結したシャフトを別に備える必要がなく、低コストでローダ部の左右方向のガタつきを防止することができる。
【００５９】
本発明の第１実施例の光ディスク再生装置１は、駆動用モータ５を時計回り方向または反時計回り方向に回転させることでローダ部３を前後方向にスライドさせると共に、スライド部１２を左右方向にスライドさせて再生部６を昇降させることができるので、例えば、ローダ部３を前後方向にスライドさせるための駆動用モータと再生部６を昇降させるための駆動用モータをそれぞれ備える必要がないため、装置の製造コストを低減させることができる。
【００６０】
次に、本発明の光ディスク再生装置の第２実施例について説明する。
【００６１】
第２実施例における光ディスク再生装置は、第２の溝部３２の構成以外は、第１実施例の構成と同じであるため、詳細な説明は省略する。
【００６２】
図１１は、本発明の第２実施例の光ディスク再生装置１において、ローダ部３が筐体２の内部に位置している状態を示す上面図である。
図１１においては、下方を光ディスク再生装置１の前方とする。
【００６３】
本発明の第２実施例の光ディスク再生装置１は、第１実施例で説明した第２の溝部３２に代えて、ローダ部３の下面の後方に第２の溝部３２０を備える。第２の溝部３２０は、左斜め前方に凹状を成した傾斜溝３２０１と、この傾斜溝３２０１の前端部分から連通し前方に凹状を成した縦溝３２０２を備える。縦溝３２０２は、前方に開口している。
【００６４】
本発明の第２実施例の光ディスク再生装置１は、スライド部１２の右側となる位置にローダ位置検出部１９を備える。ローダ位置検出部１９は、筐体２に固定され、凸部１９１を備える。凸部１９１は、左側方向に突出するよう配設される。凸部１９１は、先端が右方向に押圧されることによってローダ位置検出部１９の内部を右方向にスライドし、押圧が解除されると元の位置に戻る。ローダ位置検出部１９は、凸部１９１が押圧されていない状態のとき、第１の検出信号を制御部に出力し、凸部１９１が右方向に押圧されている状態のとき、第２の検出信号を制御部に出力する。
【００６５】
図１１に示すように、本発明の第２実施例の光ディスク再生装置１は、第１実施例で前述したのと同様に、ローダ部３が筐体２の内部にスライドした状態のとき、図５（ａ）及び図５（ｂ）に示すように、再生部６が上昇した状態となることで、ターンテーブル６０１が光ディスク２０を回転させ、光ピックアップ６０３が光ディスク２０に記録されているデータを読み取り再生を行う。
【００６６】
図１２は、本発明の第２実施例の光ディスク再生装置１において、第２のボス１２９が第２の溝部３２０の傾斜溝３２０１に挿入された状態での光ディスク再生装置１の全体の上面図である。
図１２においては、下方を光ディスク再生装置１の前方とする。
【００６７】
本発明の第２実施例の光ディスク再生装置１において、第２の溝部３２０の縦溝３２０２は、第１実施例で説明した縦溝３２３と同じ位置に配設され、第２の溝部３２０の傾斜溝３２０１の後端部分は、第１実施例で説明した横溝３２１の部分と同じ位置に配設される。
【００６８】
図１２に示すように、ローダ部３が完全に筐体２の前方にスライドした状態のとき、ローダ部３の左側部分の孔３０６がスライドシャフト１７に挿入された状態となると共に、スライド部１２の第２のボス１２９が第２の溝部３２０の傾斜溝３２０１の内壁に挿入した状態となる。第２のボス１２９が第２の溝部３２０の傾斜溝３２０１に挿入されていることによって、第１実施例と同様に、ローダ部３の右側部分は、前後方向に移動することを抑止された状態となる。
【００６９】
また、図１２に示すように、スライド部１２が右方向にスライドし、スライド部１２の第２のボス１２９が第２の溝部３２０の傾斜溝３２０１の内壁に挿入した状態のとき、スライド部１２の右側面は、ローダ位置検出部１９の凸部１９１を右側に押圧した状態となる。
【００７０】
ローダ位置検出部１９は、凸部１９１がスライド部１２によって右方向に押圧され、右方向にスライドした状態のとき、第２の検出信号を制御部に出力する。
【００７１】
図１１に示すように、ローダ部３が筐体２の内部に位置している状態から前方にスライドし、図１２に示すように、ローダ部３が完全に筐体２の前方にスライドし、第２のボス１２９が第２の溝部３２０の傾斜溝３２０１に挿入された位置となると、制御部は、ローダ位置検出部１９から出力される第１の検出信号によってローダ部３が完全に筐体２の前方にスライドした位置となっていることを検知し、駆動用モータ５の回転を停止するよう制御する。
【００７２】
図１２に示すように、ローダ部３が完全に筐体２の前方にスライドした状態のとき、第１実施例と同様に、スライドシャフト１７の外周部分と孔３０６の内周部分との間に僅かな隙間があっても、第２のボス１２９が傾斜溝３２０１に挿入された状態となることで、孔３０６の中央部分を中心としてローダ部３が水平方向に回転しようとすることを抑止した状態となることから、ローダ部３の前方部分に左右方向への応力が加わった場合でもローダ部３が左右方向にガタが生じてしまうことがない。
【００７３】
図１３は、本発明の第２実施例の光ディスク再生装置１において、ローダ部３が完全に筐体２の前方にスライドした状態のときに、使用者が指でローダ部３を後方に押圧した状態を示す上面図である。
【００７４】
図１３に示すように、ローダ部３が完全に筐体２の前方にスライドした状態のときに、使用者が指でローダ部３を後方に押圧すると、ローダ部３は、この使用者の後方への押圧によって後方にスライドする。第２の溝部３２０は、ローダ部３が後方移動することにより、後方に移動する。
【００７５】
図１４は、本発明の第２実施例の光ディスク再生装置１において、図１３に示すように、使用者が指でローダ部３を後方に押圧したときの、ローダ部３、スライド部１２及びローダ位置検出部１９の動作を示す上面図である。
【００７６】
図１４に示すように、ローダ部３が後方にスライドし、第２の溝部３２０が後方に移動すると、傾斜溝３２０１の内壁に挿入されたスライド部１２の第２のボス１２９が、傾斜溝３２０１の内壁を左方向に移動しようとする応力により、スライド部１２が左方向にスライドする。スライド部１２が左方向にスライドすると、ローダ位置検出部１９の凸部１９１は、それまでのスライド部１２による右方向への押圧から解放され元の位置に戻る。ローダ位置検出部１９は、凸部１９１が元の位置に戻ることにより、第１の検出信号を制御部に出力する。
【００７７】
制御部は、ローダ位置検出部１９から第１の検出信号が出力されると、ピニオン５０１を時計回り方向に回転させるよう駆動用モータ５を制御する。ピニオン５０１が時計回り方向に回転することにより、スライド部１２及びローダ部３は、第１実施例において図６から図１０に亘って説明した動作と逆の動作を行い、図１１に示すように、ローダ部３が筐体２の内部にスライドし、ローダ部３が筐体２の内部に移動した状態となる。
【００７８】
以上の構成により、本発明の第２実施例の光ディスク再生装置１は、ローダ部３が完全に筐体２の前方にスライドした状態のとき、使用者が指でローダ部３を後方に押圧することによって、制御部がローダ位置検出部１９から出力される第２の検出信号によってローダ部３が後方に押圧されたことを検知し、駆動用モータ５を回転させてローダ部３を筐体２の内部にスライドさせるよう制御する。このことにより、使用者は、ローダ部３を閉じようとする場合、ローダ部３を閉じるための指示釦を押さなくても、ローダ部３を指で後方に押圧することで簡単にローダ部３を筐体２の内部に移動させることができる。
【図面の簡単な説明】
【００７９】
【図１】本発明の第１実施例の光ディスク再生装置を示す上面図。
【図２】本発明の第１実施例の光ディスク再生装置１のスライド部１２を示す図で、図２（ａ）は上面図、図２（ｂ）は正面図。
【図３】本発明の第１実施例の光ディスク再生装置１の保持部１１及びスライド部１２の構成を示す図で、図３（ａ）は保持部１１を示す正面図、図３（ｂ）は保持部１１とスライド部１２を示す正面図。
【図４】本発明の第１実施例の光ディスク再生装置１における再生部６とスライド部１２の動作の過程を説明する図。
【図５】本発明の第１実施例の光ディスク再生装置１における再生部６とスライド部１２の動作の過程を説明する図。
【図６】本発明の第１実施例の光ディスク再生装置１において、ローダ部３が筐体２の内部に位置している状態を示す上面図。
【図７】本発明の第１実施例の光ディスク再生装置１において、図６に示す状態からローダ部３を前方にスライドさせる過程を示す図。
【図８】本発明の第１実施例の光ディスク再生装置１において、図７（ｃ）に示す状態からら更に駆動用モータ５のピニオン５０１が反時計回りに回転している状態を示す上面図。
【図９】本発明の第１実施例の光ディスク再生装置１において、図８に示す状態から更にピニオン５０１が反時計回りに回転した状態を示す図。
【図１０】本発明の第１実施例の光ディスク再生装置１において、図９（ｃ）に示すように、第２のボス１２９が第２の溝部３２の横溝３２１に挿入された状態での光ディスク再生装置１の全体の上面図。
【図１１】本発明の第２実施例の光ディスク再生装置１において、ローダ部３が筐体２の内部に位置している状態を示す上面図。
【図１２】本発明の第２実施例の光ディスク再生装置１において、第２のボス１２９が第２の溝部３２０の傾斜溝３２０１に挿入された状態での光ディスク再生装置１の全体の上面図。
【図１３】本発明の第２実施例の光ディスク再生装置１において、ローダ部３が完全に筐体２の前方にスライドした状態のときに、使用者が指でローダ部３を後方に押圧した状態を示す上面図。
【図１４】本発明の第２実施例の光ディスク再生装置１において、図１３に示すように、使用者が指でローダ部３を後方に押圧したときの、ローダ部３、スライド部１２及びローダ位置検出部１９の動作を示す上面図。
【符号の説明】
【００８０】
１  光ディスク再生装置、２  筐体、２０１  開口部、
３  ローダ部、３０１  ディスク載置部、３０２  凹部、３０３  孔、
３０５  ラックギア、３０６  孔、５  駆動用モータ、５０１  ピニオン、
６  再生部、６０１  ターンテーブル、６０２  スピンドルモータ、
６０３  光ピックアップ、６０４  ピックアップ駆動部、６０５  ピン、
６０６  第１の軸、６０７  第２の軸、
７  第１の軸受け、７０１  凹部、８  第２の軸受け、８０１  凹部、
１１  保持部、１１１  長孔部、１１２  傾斜部、
１２  スライド部、１２２  傾斜溝、１２３  水平溝、１２４  水平溝、
１２５  腕部、１２６  第１の歯部、１２７  第２の歯部、
１２８  第１のボス、１２９  第２のボス、
１３  スライド案内部、１６  クランパ、１７  スライドシャフト、１８  ローダ載置部、
１９  ローダ位置検出部、１９１  凸部、
３１  第１の溝部、３１１  横溝、３１２  傾斜溝、３１３  縦溝、
３２  第２の溝部、３２１  横溝、３２２  傾斜溝、３２３  縦溝、
３２０  第２の溝部、３２０１  傾斜溝、３２０２  縦溝、
２０  光ディスク、２１  孔
【図１】
2008293627.tif 000003
【図２】
2008293627.tif 000004
【図３】
2008293627.tif 000005
【図４】
2008293627.tif 000006
【図５】
2008293627.tif 000007
【図６】
2008293627.tif 000008
【図７】
2008293627.tif 000009
【図８】
2008293627.tif 000010
【図９】
2008293627.tif 000011
【図１０】
2008293627.tif 000012
【図１１】
2008293627.tif 000013
【図１２】
2008293627.tif 000014
【図１３】
2008293627.tif 000015
【図１４】
2008293627.tif 000016